(57)【要約】      （修正有）【課題】単なる地図の映像表示装置から高度化して、バナー広告映像広告ができるナビゲーション機器を提供する。【解決手段】車載搭載のナビゲーションの地図のみを映像表示する映像表示モニターとは別に、地図を表示すると自動的に該モニターの外周部分に広告が表示されるもので、無線ネット送信センターから送信された広告用情報を、ナビゲーションの機器に内蔵された携帯電話又は無線情報受信装置を介して広告情報を受信し、該モニター２へ地図映像３と帯状のバナー広告映像４を同時に映し出して、広告収入が得られるように配慮されたシステム機能を持つ車載搭載のナビゲーション機器。【選択図】図２
0003149912.tif 000002
【実用新案登録請求の範囲】
【請求項１】
現在の使用されている車両搭載のナビゲーションは、ＧＰＳを利用した地図表示装置システム機器であり、本来の目的であるナビゲーションの地図を映像表示する（以下「モニター」という）のみの機能を有しているが、それとは別に、無線ネット送信センターより広告情報を送信して、該ナビゲーション機器に内蔵した携帯電話又は受信機能装置に広告情報を受信させ、該広告を一部該モニターに映像表示をして広告を行うシステムを持ったナビゲーション機器で、既に開発されているマルチ映像表示（多チャンネル映像表示）機能装置を装着することによって、同時に別々の映像内容を１枚のモニターに映像表示（音声を含む）されるように装着するもので、ナビゲーションの映像表示時間と同時間帯に別の映像である広告の映像表示を外周部の広告専用モニタースペースに映像表示をするシステム（以下「バナー広告」という）を持つもので、１枚のモニターにて地図及び広告の映像表示を同時に行うことが出来る装置を持ったアドナビゲーション機器。
【考案の詳細な説明】
【技術分野】
【０００１】  本考案は、現在使用されている車両搭載のナビゲーションには、本体に設置されている映像表示機器であるモニター部分に地図を表示しているのみであるが、別に、該モニターにバナー広告を出来る装置を持ったアドナビゲーションシステムで、地図と広告を同時に映像表示することが出来るものであり、その該アドナビゲーション機器には、地図用映像表示装置であるモニターを設置し、該モニターの内、中央部分に地図映像を表示するモニター（３）及び外周の帯状部分に広告専用の画像を表示するモニター部分（４）を設け、地図と同時に広告用映像が映像表示できるようにして、尚、広告用映像表示が本来の地図映像表示に支障にならないように広告用映像と音声を調節した地図映像と広告映像を同時に行うことが出来る広告表示映像付ナビゲーション機能機器を持った車両搭載ナビゲーション機器。
【背景技術】
【０００２】  一般に、現在のナビゲーション映像表示は、単に地図のみの表示をしているのみであり、複合的なシステムを利用していない。
【考案の開示】
【考案が解決しようとする課題】
【０００３】  従来の車両搭載のナビゲーション機器は、地図の映像表示のみのナビゲーション機器であり、多機能化を図っていないもので、ナビゲーションの地図にはパーソナルコンピューターのモニター画面に使用されているようなバナー広告の表示がなされていない。本考案は、従来のナビゲーションの地図表示モニターに追加して広告用映像表示をして広告収入を得ることでより多機能化を図るのものである。
【課題を解決するための手段】
【０００４】  上記目的を解決するために、本考案のアドナビゲーション機器は、ナビゲーション地図の映像表示部分の外周帯状部分にバナー広告である広告専用映像が映し出されるようにした２種類の映像表示が可能なマルチ映像表示装置を本体ナビゲーション機器に内蔵し、さらに無線ネット送信センターから送信された広告用情報を、ナビゲーション機器本体に内蔵された携帯電話又は情報受信装置をも内蔵し、地図が映像表示されるのと同時に、広告用映像が同時に映し出されるものである。
【考案の効果】
【０００５】  現在行われているナビゲーション地図を映像表示する他に、該モニターにバナー広告として広告を映像表示して、広告収入を新しく得るものである。
【考案を実施するための最良の形態】
【０００６】  本考案の最良の用法を説明すると、車両搭載のナビゲーションのモニター部分に地図が映像表示された時、無線ネットセンターから広告用の情報が送信され、車両搭載のナビゲーションに内蔵されている携帯電話又は、無線情報受信機器を介して広告を該モニターの広告用映像部分に広告が映像表示するものである。
【実施例】
【０００７】  本考案の実施例を図面について説明すると、図１には、車両（１）、ナビゲーション本体部分（２）の中に、地図専用の映像が表示されるモニター（３）、広告専用映像表示が可能なモニター部分（４）、人工衛星（９）からのデータを送受信する、人工衛星用送受信装置（５）、無線ネットによる広告用情報受信装置（６）、１枚のモニターに２種類の映像が映し出される機能を持ったマルチ映像表示装置（８）を装着した車両搭載ナビゲーション機器で、該モニターに地図の映像表示がなされると自動的に、無線ネット送信センター（１０）から送信された広告用情報を内蔵された携帯電話（６）及び無線情報受信装置（７）が受信をして、同時にマルチ映像表示機能装置（５）が稼動して、該モニターに同時に２種類の映像である地図とバナー広告の映像が表示されるのものである。
【図面の簡単な説明】
【０００８】
【図１】アドナビゲーション機器装置装着製作全体図
【図２】アドナビゲーション機器の装置装着製作正面図
【図３】アドナビゲーション機器の装置装着製作側面図
【符号の説明】
【０００９】１    車両
２    車両搭載のナビゲーション本体
３    地図専用のモニター部分
４    広告専用のモニター部分
５    人工衛星用送受信装置
６    携帯電話
７    ネット用無線受信装置
８    マルチ映像表示装置
９    人工衛星
１０  ネット送信センター
【図１】
0003149912.tif 000003
【図２】
0003149912.tif 000004
【図３】
0003149912.tif 000005
【手続補正書】
【提出日】平成20年11月11日(2008.11.11)
【手続補正１】
【補正対象書類名】実用新案登録請求の範囲
【補正対象項目名】全文
【補正方法】変更
【補正の内容】
【実用新案登録請求の範囲】
【請求項１】
車両（１）に搭載するナビゲーション本体（２）には、表面に地図を映像表示する地図専用モニター部分（３）を装設し、該地図専用モニター部分（８）の外周に広告専用モニター部分（４）を装設し、且つ該ナビゲーション本体（２）には、内部に人工衛星（９）からのデータを送受信する人工衛星用送受信器（５）と、ネット送信センター（１０）から送信される携帯電話器（６）及びネット用無線情報受信器（７）を収納装設すると共に、２種類の映像を映し出すマルチ映像表示装置（８）を収納する事を特徴とするナビゲーション機器。
【手続補正２】
【補正対象書類名】明細書
【補正対象項目名】全文
【補正方法】変更
【補正の内容】
【考案の詳細な説明】
【技術分野】
【０００１】  本考案は、現在使用されているナビゲーションの映像表示は、地図用の映像表示のみを表示するものであるが、地図映像と広告と宣伝ができる広告用映像とを同時に実施できるようにしたナビゲーション機器に関するものである。
【背景技術】
【０００２】  従来この種の車両搭載用のナビゲーションには、本体に設置されている映像表示機器であるモニター部分に地図の映像表示だけがなされている現状であり、他に複合的なシステムを利用されているものは散見されていない。
【考案の開示】
【考案が解決しようとする課題】
【０００３】  従来この種の車両搭載用のナビゲーション機器は、地図の映像表示のみのナビゲーション機器であり、他の機能化性を図っていないものであり、ナビゲーションの地図には、パーソナルコンピューターのモニター画面に使用されているようなバナー広告の表示がなされていない現状である。
そこで、本考案のものは、従来のナビゲーションの地図表示モニターに対し、追加して広告用映像表示をして広告を同時にする多機能化を図るナビゲーション機器を目的としている。
【課題を解決するための手段】
【０００４】  上記目的を解決するために、本考案のナビゲーション機器によれば、車両に搭載するナビゲーション本体には、表面の上部に地図を映像表示する地図専用モニター部分を位置する。該地図専用モニター部分の所定の外周に広告専用モニター部分を装設する。更に、該ナビゲーション本体には、内部に人工衛星からのデータを送受信する人工衛星用送受信器と、ネット送信センターから送信される携帯電話器及びネット用無線情報受信器を収納装設してある。また、２種類の映像を映し出すマルチ映像表示装置を収納装設した事により、地図の映像表示と同時に広告用映像を映し出すものである。
【考案の効果】
【０００５】  本考案は、以上説明のように構成されているので、以下に記載されているような効果を有する。
車両に搭載装設されているナビゲーション本体は、表面の地図の映像表示の外に、モニターに対して各種のバナー広告の映像表示が出来る実利的な効果がある。
更に、該ナビゲーション本体には、内部に人工衛星用送受信器と携帯電話器及びネット用無線情報受信器を一体的に装設収納したので、全体が小型化されると共に、地図を映像表示する他に、モニターにバナー広告の映像表示が確実に表示されるので、大変に便利となる効果がある。
【考案を実施するための最良の形態】
【０００６】  本考案の最良の用法を説明すると、車両搭載のナビゲーションのモニター部分に運転の地図が映像表示される時、無線ネット送信センターから広告用の情報が送信され、車両搭載のナビゲーションに内蔵されている携帯電話器又は、ネット用無線情報受信器を介した広告を該モニターの広告用映像部分に映像表示するものである。
【実施例】
【０００７】  実施例を図面について説明すると、図１には、車両（１）に搭載されたナビゲーション本体（２）を示し、該ナビゲーション本体（２）には、図２に示す如く、内部に主体となる地図映像が表示される地図専用モニター部分（３）を装設する。該地図専用モニター部分（８）の外周の所定個所には、広告専用映像を表示する広告専用モニター部分（４）を装設する。
次に、図３に示す如く、該地図専用モニター部分（３）の裏面には、上部より人工衛星（９）からのデータを送受信する人工衛星用送受信器（５）と、無線ネットによるネット用無線情報受信器（７）を収納装設する。また、１枚のモニターに２種類の映像が映し出される機能を持ったマルチ映像表示装置（８）を装着してある。
更に、内部には該モニターに地図の映像表示がなされると自動的に、無線のネット送信センター（１０）から送信された広告用情報を内蔵された携帯電話器（６）と、該ネット用無線情報受信器（７）が受信をして、同時に装設してあるマルチ映像表示装置（８）が稼動する。
従って、該モニターに同時に２種類の映像となる地図とバナー広告との映像を表示するものである。
【図面の簡単な説明】
【０００８】
【図１】  本考案のナビゲーション機器に人工衛星及びネット送信センターとを配置した状態を示す全体の側面図である。
【図２】  同じく本考案のナビゲーション本体の正面図である。
【図３】  本考案の図２に示すナビゲーション本体の内部を開示した縦断側面図である。
【符号の説明】
【０００９】１    車両
２    ナビゲーション本体
３    地図専用モニター部分
４    広告専用モニター部分
５    人工衛星用送受信器
６    携帯電話器
７    ネット用無線情報受信器
８    マルチ映像表示装置
９    人工衛星
１０  ネット送信センター
【手続補正３】
【補正対象書類名】図面
【補正対象項目名】全図
【補正方法】変更
【補正の内容】
【図１】
0003149912.tif 000006
【図２】
0003149912.tif 000007
【図３】
0003149912.tif 000008
【手続補正書】
【提出日】平成21年1月23日(2009.1.23)
【手続補正１】
【補正対象書類名】実用新案登録請求の範囲
【補正対象項目名】全文
【補正方法】変更
【補正の内容】
【実用新案登録請求の範囲】
【請求項１】
車両（１）に搭載するナビゲーション本体（２）には、表面に地図を映像表示する地図専用モニター部分（３）を装設し、該地図専用モニター部分（３）の外周に広告専用モニター部分（４）を装設し、且つ該ナビゲーション本体（２）には、内部に人工衛星（９）からのデータを送受信する人工衛星用送受信器（５）と、ネット送信センター（１０）から送信された広告用情報を内蔵した携帯電話器（６）及びネット用無線情報受信器（７）を収納装設すると共に、２種類の映像を映し出すマルチ映像表示装置（８）を収納する事を特徴とするナビゲーション機器。
【手続補正２】
【補正対象書類名】手続補正書
【補正対象項目名】手続補正４
【補正方法】削除
【補正の内容】